(57)【特許請求の範囲】
【請求項１】
（ａ）軸受と、パネル側係合部と、を備えるパネルと、
（ｂ）前記軸受に回動可能に支持される回動軸部と、蓋体側係合部と、を備え、前記パネルに対して開位置と閉位置とに回動可能な蓋体と、
（ｃ）コイル部と、前記パネル側係合部に係合されるパネル側アーム部と、前記蓋体側係合部に係合される蓋体側アーム部と、を備え、前記蓋体を前記パネルに対して開方向に回動付勢するトーションスプリングと、
を有し、
前記蓋体に、該蓋体を前記パネルに組付ける前には前記トーションスプリングの前記パネル側アーム部が係合され前記蓋体を前記パネルに組付けた後には前記パネル側アーム部との係合が解除されるようになっている、仮止め部が設けられている、オーバーヘッドコンソール装置であって、
前記トーションスプリングの前記パネル側アーム部は、前記蓋体を前記パネルに組付ける前には、前記トーションスプリングの自由状態から前記コイル部の巻き方向に変形された状態かつ前記コイル部の軸方向に変形された状態で、前記仮止め部に係合されており、前記蓋体を前記パネルに組付けた後には、前記仮止め部から外れて前記コイル部の軸方向に自由状態に戻る方向に自動的に変形している、オーバーヘッドコンソール装置。
【請求項２】
トーションスプリングに設けられる蓋体側アーム部を蓋体に設けられる蓋体側係合部に係合させ、前記トーションスプリングのパネル側アーム部を前記蓋体に設けられる仮止め部に係合させて、前記トーションスプリングを前記蓋体に仮止めする第１の工程と、
前記トーションスプリングが仮止めされた状態で、前記蓋体の前記パネルに対する角度が開位置または開閉の途中位置となる状態で前記蓋体に設けられる回動軸部を前記パネルに設けられる軸受に嵌め込む第２の工程と、
前記蓋体を前記パネルに対して閉位置側に回動させることで、前記パネル側アーム部が前記パネルに設けられるパネル側係合部によって押されて前記蓋体に対して動くことで前記パネル側アーム部と前記仮止め部との係合を解除させ、前記パネル側アーム部を前記パネル側係合部に自動的に係合させる第３の工程と、
を有するオーバーヘッドコンソール装置の組付方法であって、
前記第１の工程では、前記トーションスプリングの前記パネル側アーム部を、前記トーションスプリングの自由状態から該トーションスプリングのコイル部の巻き方向に変形させた状態かつ該コイル部の軸方向に変形させた状態で、前記仮止め部に係合させており、
前記第３の工程では、前記パネル側アーム部は、前記仮止め部から外れて前記コイル部の軸方向に自由状態に戻る方向に自動的に変形する、オーバーヘッドコンソール装置の組付方法。
【発明の詳細な説明】
【技術分野】
【０００１】
本発明は、車両のオーバーヘッドコンソール装置とその組付方法に関する。
【背景技術】
【０００２】
特開２００７−２２３３５５号公報は、蓋体をパネルにパネルの意匠面側から組付けた後に、パネルの側面側からトーションスプリングをパネルと蓋体に組付けるオーバーヘッドコンソール装置の組付方法を開示している。
【０００３】
しかし、特開２００７−２２３３５５号公報に開示されるオーバーヘッドコンソール装置の組付方法には、つぎの問題点がある。
オーバーヘッドコンソール装置の組付作業性を向上させる点で改善の余地がある。
【先行技術文献】
【特許文献】
【０００４】
【特許文献１】特開２００７−２２３３５５号公報
【発明の概要】
【発明が解決しようとする課題】
【０００５】
本発明の目的は、従来に比べて組付作業性が向上するオーバーヘッドコンソール装置とその組付方法を提供することにある。
【課題を解決するための手段】
【０００６】
上記目的を達成する本発明はつぎの通りである。
（１）  （ａ）軸受と、パネル側係合部と、を備えるパネルと、
（ｂ）前記軸受に回動可能に支持される回動軸部と、蓋体側係合部と、を備え、前記パネルに対して開位置と閉位置とに回動可能な蓋体と、
（ｃ）コイル部と、前記パネル側係合部に係合されるパネル側アーム部と、前記蓋体側係合部に係合される蓋体側アーム部と、を備え、前記蓋体を前記パネルに対して開方向に回動付勢するトーションスプリングと、
を有し、
前記蓋体に、該蓋体を前記パネルに組付ける前には前記トーションスプリングの前記パネル側アーム部が係合され前記蓋体を前記パネルに組付けた後には前記パネル側アーム部との係合が解除されるようになっている、仮止め部が設けられている、オーバーヘッドコンソール装置であって、
前記トーションスプリングの前記パネル側アーム部は、前記蓋体を前記パネルに組付ける前には、前記トーションスプリングの自由状態から前記コイル部の巻き方向に変形された状態かつ前記コイル部の軸方向に変形された状態で、前記仮止め部に係合されており、前記蓋体を前記パネルに組付けた後には、前記仮止め部から外れて前記コイル部の軸方向に自由状態に戻る方向に自動的に変形している、オーバーヘッドコンソール装置。
（２）  トーションスプリングに設けられる蓋体側アーム部を蓋体に設けられる蓋体側係合部に係合させ、前記トーションスプリングのパネル側アーム部を前記蓋体に設けられる仮止め部に係合させて、前記トーションスプリングを前記蓋体に仮止めする第１の工程と、
前記トーションスプリングが仮止めされた状態で、前記蓋体の前記パネルに対する角度が開位置または開閉の途中位置となる状態で前記蓋体に設けられる回動軸部を前記パネルに設けられる軸受に嵌め込む第２の工程と、
前記蓋体を前記パネルに対して閉位置側に回動させることで、前記パネル側アーム部が前記パネルに設けられるパネル側係合部によって押されて前記蓋体に対して動くことで前記パネル側アーム部と前記仮止め部との係合を解除させ、前記パネル側アーム部を前記パネル側係合部に自動的に係合させる第３の工程と、
を有するオーバーヘッドコンソール装置の組付方法であって、
前記第１の工程では、前記トーションスプリングの前記パネル側アーム部を、前記トーションスプリングの自由状態から該トーションスプリングのコイル部の巻き方向に変形させた状態かつ該コイル部の軸方向に変形させた状態で、前記仮止め部に係合させており、
前記第３の工程では、前記パネル側アーム部は、前記仮止め部から外れて前記コイル部の軸方向に自由状態に戻る方向に自動的に変形する、オーバーヘッドコンソール装置の組付方法。
【発明の効果】
【０００７】
上記（１）のオーバーヘッドコンソール装置によれば、仮止め部が設けられているため、トーションスプリングの蓋体側アーム部を蓋体側係合部に係合させ、トーションスプリングのパネル側アーム部を仮止め部に係合させることで、パネルに組付けられる前の蓋体にトーションスプリングを仮止めできる。また、蓋体をパネルに組付けた後にはパネル側アーム部と仮止め部との係合が解除されるようになっているため、蓋体をパネルに組付けることでパネル側アーム部を自動的にパネルのパネル側係合部に係合させることができる。よって、トーションスプリングが仮止めされた蓋体をパネルに組付けることで、トーションスプリングのパネルへの組付けも行なうことができるため、従来に比べてオーバーヘッドコンソール装置の組付作業性が向上する。
【０００８】
また、トーションスプリングのパネル側アーム部が、トーションスプリングの自由状態からコイル部の巻き方向に変形された状態で仮止め部に係合されているため、コイル部の巻き方向に変形されていない状態で仮止め部に係合される場合に比べて、パネル側アーム部が仮止め部から外れてトーションスプリングが蓋体から脱落することを抑制できる。
また、トーションスプリングのパネル側アーム部が、トーションスプリングの自由状態からコイル部の軸方向に変形された状態で仮止め部に係合されているため、パネル側アーム部にコイル部の巻き方向の力を加えてパネル側アーム部が仮止め部から外れたとき、パネル側アーム部はコイル部の軸方向に自由状態に戻る方向に自動的に変形する。よって、パネル側アーム部にコイル部の巻き方向の力を加えることでパネル側アーム部を仮止め部から外すことができ、また、仮止め部から外れたパネル側アームが仮止め部に再び係合することを抑制できる。
【０００９】
上記（２）のオーバーヘッドコンソール装置の組付方法によれば、第１の工程を有するため、パネルに組付けられる前の蓋体にトーションスプリングを仮止めできる。また、第２、第３の工程を有するため、蓋体に設けられる回動軸部をパネルに設けられる軸受に嵌め込んだ後に蓋体をパネルに対して閉位置側に回動させることで、パネル側アーム部と仮止め部との係合を解除させてパネル側アーム部を自動的にパネルのパネル側係合部に係合させることができる。よって、トーションスプリングが仮止めされた蓋体をパネルに組付けることで、トーションスプリングのパネルへの組付けも行なうことができるため、従来に比べてオーバーヘッドコンソール装置の組付作業性が向上する。
【図面の簡単な説明】
【００１０】
【図１】本発明実施例のオーバーヘッドコンソール装置におけるパネルの底面図である。
【図２】図１のＡ部拡大図である。
【図３】本発明実施例のオーバーヘッドコンソール装置における蓋体の側面図である。
【図４】本発明実施例のオーバーヘッドコンソール装置における、パネルに組付けられる前の蓋体にトーションスプリングを仮止めしたときの、トーションスプリングとその近傍の部分拡大斜視図である。
【図５】本発明実施例のオーバーヘッドコンソール装置における、トーションスプリングが仮止めされた蓋体をパネルに組付ける工程図である。なお、図面の明瞭化のために断面表示のためのハッチングは省略している。（ａ）は、トーションスプリングが仮止めされた蓋体をパネルに組付けるためにパネルに接近させていき回動軸部を軸受に嵌め込んだときの、オーバーヘッドコンソール装置の部分断面図である。（ｂ）は、（ａ）の状態から蓋体をパネルに対して閉位置側に回動させていき、トーションスプリングのパネル側アーム部がパネルのパネル側係合部に接触したときの、オーバーヘッドコンソール装置の部分断面図である。（ｃ）は、（ｂ）の状態から蓋体をパネルに対してさらに閉位置側に回動させていき、トーションスプリングのパネル側アームが蓋体の仮止め部から外れてパネルのパネル側係合部に係合したときの、オーバーヘッドコンソール装置の部分断面図である。
【図６】本発明実施例のオーバーヘッドコンソール装置における、トーションスプリングが仮止めされた蓋体をパネルに組付ける工程図である。（ａ）は、図５（ａ）状態におけるオーバーヘッドコンソール装置を、トーションスプリングの蓋体側アーム部側から見たときの部分斜視図である。（ｂ）は、図５（ｂ）状態におけるオーバーヘッドコンソール装置を、トーションスプリングの蓋体側アーム部側から見たときの部分斜視図である。（ｃ）は、図５（ｃ）状態におけるオーバーヘッドコンソール装置を、トーションスプリングの蓋体側アーム部側から見たときの部分斜視図である。
【図７】本発明実施例のオーバーヘッドコンソール装置における、トーションスプリングが仮止めされた蓋体をパネルに組付ける工程図である。（ａ）は、図５（ａ）状態におけるトーションスプリングのパネル側アーム部と蓋体の仮止め部との位置関係を示す、パネル側アーム部と仮止め部との断面図である。（ｂ）は、図５（ｂ）状態におけるトーションスプリングのパネル側アーム部と蓋体の仮止め部との位置関係を示す、パネル側アーム部と仮止め部との断面図である。（ｃ）は、図５（ｃ）状態におけるトーションスプリングのパネル側アーム部と蓋体の仮止め部との位置関係を示す、パネル側アーム部と仮止め部との断面図である。
【図８】本発明実施例のオーバーヘッドコンソール装置における、トーションスプリングが仮止めされた蓋体をパネルに組付ける工程図である。（ａ）は、図５（ａ）状態におけるトーションスプリングのパネル側アーム部とパネルのパネル側係合部との位置関係を示す、パネル側アーム部とパネル側係合部との断面図である。（ｂ）は、図５（ｂ）状態におけるトーションスプリングのパネル側アーム部とパネルのパネル側係合部との位置関係を示す、パネル側アーム部とパネル側係合部との断面図である。（ｃ）は、図５（ｃ）状態におけるトーションスプリングのパネル側アーム部とパネルのパネル側係合部との位置関係を示す、パネル側アーム部とパネル側係合部との断面図である。
【図９】本発明実施例のオーバーヘッドコンソール装置の組付完了状態の概略断面図である。なお、図中ＵＰは上方を示し、ＦＲは車両前方を示す。
【発明を実施するための形態】
【００１１】
以下に、本発明実施例のオーバーヘッドコンソール装置とその組付方法を、図面を参照して、説明する。
【００１２】
本発明実施例のオーバーヘッドコンソール装置（以下、単に装置ともいう）１０は、車両の車室天井に設けられる。装置１０は、車室天井の車両前側端部かつ車両幅方向（左右方向）中央部に設けられる。装置１０は、図５に示すように、パネル２０と、蓋体３０と、トーションスプリング４０と、を有する。
【００１３】
パネル２０は、たとえば樹脂製である。パネル２０は、車室天井に固定されている。パネル２０は、図１、図２に示すように、凹部形成壁２１と、軸受２２と、パネル側係合部２３と、を備える。
【００１４】
凹部形成壁２１は、図９に示すように、下方に開放する凹部２４を形成する。凹部形成壁２１は、側壁２１ａと、上壁２１ｂと、を備える。凹部２４には、蓋体３０の一部が進入可能とされており、トーションスプリング４０が常時入り込んでいる。
【００１５】
軸受２２は、図１に示すように、凹部形成壁２１の側壁２１ａに設けられている。軸受２２は、装置１０の幅方向（車両幅方向）の両側にある車両前後方向に延びる側壁２１ａ部分に設けられている。
【００１６】
パネル側係合部２３は、凹部形成壁２１に一体に設けられている。パネル側係合部２３は、凹部形成壁２１ｂの上壁２１ａと側壁２１ａに接続されている。パネル側係合部２３は、凹部形成壁２１から凹部２４内に突出している。パネル側係合部２３は、図２に示すように、パネル側係合部２３の少なくとも下端部の車両後側面に、装置１０の幅方向中央側（凹部２４の幅方向中央側）かつ車両後側に傾斜する傾斜面２３ａを備える。傾斜面２３ａは、装置１０の幅方向にパネル側係合部２３が設けられる側壁２１ａ部分から離れる方向、かつ、車両後側に傾斜している。
【００１７】
蓋体３０は、たとえば樹脂製である。蓋体３０は、図９に示すように、パネル２０に軸芯Ｐまわりに回動可能に支持されている。蓋体３０は、パネル２０に対して、凹部２４の開口の全体（略全体を含む）を塞ぐ閉位置３０ａと、閉位置３０ａから下方に回動した開位置３０ｂとに、回動可能である。蓋体３０は、閉位置３０ａにあるときに、凹部２４の開口を塞ぐ意匠パネル部３１と、意匠パネル部３１の周縁部から上方に延びる立ち上がり部３２と、を備える。意匠パネル部３１と立ち上がり部３２の内側のスペースＳに、サングラス等を収納可能である。
【００１８】
蓋体３０は、開位置３０ｂにあるとき、蓋体３０の仮止め部３５に設けられるストッパ面３６（図５参照）がパネル２０のパネル側係合部２３に設けられるストッパ受け面２５（図５参照）に当接しており、蓋体３０の過開きが抑制されている。
【００１９】
蓋体３０は、図４に示すように、回動軸部３３と、蓋体側係合部３４と、を備える。
【００２０】
回動軸部３３は、立ち上がり部３２に一体に設けられている。回動軸部３３は、装置１０の幅方向の両側にある車両前後方向に延びる立ち上がり部３２部分に設けられている。回動軸部３３は、立ち上がり部３２の外側面から装置１０の幅方向外側に突出して設けられている。回動軸部３３の突出方向先端部３３ａは、回動軸部３３の突出方向先端部３３ａ以外の部分（大径部）３３ｂよりも小径とされている。回動軸部３３の突出方向先端部３３ａは、軸受２２に凹部２４から嵌め込まれて（挿入されて）いる。回動軸部３３の突出方向先端部３３ａは軸受２２に回動可能に支持されている。回動軸部３３が軸受２２に回動可能に支持されるため、蓋体３０が軸芯Ｐまわりにパネル２０に回動可能に支持される。
蓋体側係合部３４は、立ち上がり部３２に一体に設けられている。
【００２１】
トーションスプリング４０は、金属製である。トーションスプリング４０は、蓋体３０をパネル２０に対して開方向に回動付勢する。トーションスプリング４０は、図５に示すように、コイル部４１と、パネル側係合部２３に係合されるパネル側アーム部４２と、蓋体側係合部３４に係合される蓋体側アーム部４３と、を備える。コイル部４１は、図４に示すように、蓋体３０の回動軸部３３の大径部３３ｂに嵌められている。
【００２２】
蓋体３０に、仮止め部３５が設けられている。
【００２３】
仮止め部３５は、パネル２０に組付けられる前の状態にある蓋体３０にトーションスプリング４０を仮止め（仮固定）するために設けられる。仮止め部３５には、蓋体３０をパネル２０に組付ける前にトーションスプリング４０のパネル側アーム部４２が係合される。仮止め部３５とパネル側アーム部４２との係合は、蓋体３０をパネル２０に組付ける途中で解除される。仮止め部３５とパネル側アーム部４２との係合は、蓋体３０をパネル２０に組付けた後には解除されている。
【００２４】
仮止め部３５は、収納スペースＳの外側に設けられている。仮止め部３５は、台部３５ａと、突起部３５ｂと、を備える。
台部３５ａは，蓋体３０が閉位置３０ａにあるときの、意匠パネル部３１の上面（裏面）３１ａから上方に突出して設けられている。台部３５ａは、立ち上がり部３２の外側面３２ａに接続されていてもよい。突起部３５ｂは、台部３５ａの上端部の一部から上方に突出して設けられている。
【００２５】
トーションスプリング４０が蓋体３０に仮止めされているとき、トーションスプリング４０のパネル側アーム部４２は、仮止め部３５に係合されており、トーションスプリング４０の蓋体側アーム部４３は、蓋体側係合部３４に係合されている。パネル側アーム部４２は、蓋体側アーム部４３が蓋体側係合部３４に係合された状態でトーションスプリング４０の自由状態からコイル部４１の巻き方向に変形された状態かつコイル部４１の軸方向に変形された状態で、仮止め部３５に係合されている。パネル側アーム部４２が仮止め部３５に係合されているとき、パネル側アーム部４２は仮止め部３５の台部３５ａと突起部３５ｂとの両方に係合されている。パネル側アーム部４２が台部３５ａに係合されているため、仮止め部３５に係合されているパネル側アーム部４２が、トーションスプリング４０の自由状態からコイル部４１の巻き方向に変形された状態を維持できる。また、パネル側アーム部４２が突起部３５ｂに係合されているため、仮止め部３５に係合されているパネル側アーム部４２がトーションスプリング４０の自由状態からコイル部４１の軸方向に変形された状態を維持できる。
【００２６】
ここで、本発明実施例のオーバーヘッドコンソール装置１０の組付方法を説明する。
【００２７】
本発明実施例のオーバーヘッドコンソール装置１０の組付方法は、
（ｉ）図４に示すように、トーションスプリング４０に設けられる蓋体側アーム部４３を蓋体３０に設けられる蓋体側係合部３４に係合させ、トーションスプリング４０のパネル側アーム部４２を蓋体３０に設けられる仮止め部３５に係合させて、トーションスプリング４０を蓋体３０に仮止め（仮固定）する第１の工程と、
（ｉｉ）図６（ａ）に示すように、トーションスプリング４０が蓋体３０に仮止めされた状態で、蓋体３０のパネル２０に対する角度が開位置３０ｂまたは開閉の途中位置となる状態で蓋体３０に設けられる回動軸部３３をパネル２０に設けられる軸受２２に嵌め込む第２の工程と、
（ｉｉｉ）図５（ｂ）（ｃ）、図６（ｂ）（ｃ）、図７（ｂ）（ｃ）および図８（ｂ）（ｃ）に示すように、蓋体３０をパネル２０に対して閉位置３０ａ側（図５（ｂ）（ｃ）の矢印Ｄ１方向）に回動させることで、パネル側アーム部４２がパネル２０に設けられるパネル側係合部２３によって押されて蓋体３０に対して動くことでパネル側アーム部４２と仮止め部３５との係合を解除させ、パネル側アーム部４２をパネル側係合部２３に自動的に係合させる第３の工程と、
をこの順に有する。
【００２８】
第１の工程（上記（ｉ）の工程）は、蓋体３０をパネル２０に組付ける前に行なわれる。第１の工程では、図４に示すように、トーションスプリング４０のコイル部４１を蓋体３０に設けられる回動軸部３３に嵌める。第１の工程では、トーションスプリング４０のパネル側アーム部４２は、トーションスプリング４０の自由状態からコイル部４１の巻き方向に変形された状態かつコイル部４１の軸方向に変形された状態で、仮止め部３５に係合されている。
【００２９】
第２の工程（上記（ｉｉ）の工程）では、図５（ａ）に示すように、蓋体３０をパネル２０の凹部２４に進入させて行なわれる。第２の工程では、蓋体３０に設けられるストッパ面３６とパネル側アーム部４２との間にパネル側係合部２３が位置する状態で回動軸部３３を軸受け２２に嵌め込む。
【００３０】
第３の工程（上記（ｉｉｉ）の工程）では、パネル側アーム部４２は、パネル側係合部２３によってコイル部４１の巻き方向に押される。第３の工程では、図８に示すように、パネル側アーム部４２は、パネル側係合部２３の傾斜面２３ａに当たる。第３の工程では、パネル側アーム部４２は、図６（ｂ）（ｃ）に示すように、仮止め部３５との係合が解除されるまで蓋体３０に対して動いたとき、コイル部４１の軸方向に自由状態に戻る方向に自動的に変形する。第３の工程では、蓋体３０を閉位置３０ａ側に回動させて閉位置３０ａに達したときに蓋体３０のパネル２０への組付が完了する。
【００３１】
つぎに、本発明実施例の装置１０の作用、効果を説明する。
（Ａ）本発明実施例の装置１０によれば、つぎの作用、効果を得ることができる。
（Ａ１）仮止め部３５が設けられているため、トーションスプリング４０の蓋体側アーム部４３を蓋体側係合部３４に係合させ、トーションスプリング４０のパネル側アーム部４２を仮止め部３５に係合させることで、パネル２０に組付けられる前の蓋体３０にトーションスプリング４０を仮止めできる。また、蓋体３０をパネル２０に組付けた後にはパネル側アーム部４２と仮止め部３５との係合が解除されるようになっているため、蓋体３０をパネル２０に組付けることでパネル側アーム部４２を自動的にパネル２０のパネル側係合部２３に係合させることができる。よって、トーションスプリング４０が仮止めされた蓋体３０をパネル２０に組付けることで、トーションスプリング４０のパネル２０への組付けも行なうことができるため、従来に比べてオーバーヘッドコンソール装置１０の組付作業性が向上する。
【００３２】
（Ａ２）トーションスプリング４０のパネル側アーム部４２が、トーションスプリング４０の自由状態からコイル部４１の巻き方向に変形された状態で仮止め部３５に係合されているため、コイル部４１の巻き方向に変形されていない状態で仮止め部３５に係合される場合に比べて、パネル側アーム部４２が仮止め部３５から外れてトーションスプリング４０が蓋体３０から脱落することを抑制できる。
【００３３】
（Ａ３）トーションスプリング４０のパネル側アーム部４２が、トーションスプリング４０の自由状態からコイル部４１の軸方向に変形された状態で仮止め部３５に係合されているため、パネル側アーム部４２にコイル部４１の巻き方向の力を加えてパネル側アーム部４２が仮止め部３５から外れたとき、パネル側アーム部４２はコイル部４１の軸方向に自由状態に戻る方向に自動的に変形する。よって、パネル側アーム部４２にコイル部４１の巻き方向の力を加えることでパネル側アーム部４２を仮止め部３５から外すことができ、また、仮止め部３５から外れたパネル側アーム部４２が仮止め部３５に再び係合することを抑制できる。
【００３４】
（Ａ４）組付完了後において、パネル側アーム部４２が、パネル側係合部２３の傾斜面２３ａに当接しているため、パネル側アーム部４２が傾斜面２３ａに当接しない場合に比べて、パネル側アーム部４２がパネル側係合部２３から外れることを抑制できる。
【００３５】
（Ａ５）蓋体３０の過開き抑制のためのストッパ面３６が仮止め部３５に設けられているため、ストッパ面３６が仮止め部３５以外の蓋体３０部分に設けられる場合に比べて、蓋体３０の材料費を低減できる。また、蓋体３０の過開き抑制のためのストッパ受け面２５がパネル側係合部２３に設けられているため、ストッパ受け面２５がパネル側係合部２３以外のパネル２０部分に設けられる場合に比べて、パネル２０の材料費を低減できる。
【００３６】
（Ｂ）本発明実施例の装置１０の組付方法によれば、つぎの作用、効果を得ることができる。
（Ｂ１）第１の工程を有するため、パネル２０に組付けられる前の蓋体３０にトーションスプリング４０を仮止めできる。また、第２、第３の工程を有するため、蓋体３０に設けられる回動軸部３３をパネル２０に設けられる軸受２２に嵌め込んだ後に蓋体３０をパネル２０に対して閉位置３０ａ側に回動させることで、パネル側アーム部４２と仮止め部３５との係合を解除させてパネル側アーム部４２を自動的にパネル２０のパネル側係合部２３に係合させることができる。よって、トーションスプリング４０が仮止めされた蓋体３０をパネル２０に組付けることで、トーションスプリング４０のパネル２０への組付けも行なうことができるため、従来に比べてオーバーヘッドコンソール装置１０の組付作業性が向上する。
【００３７】
（Ｂ２）第３の工程では、パネル側アーム部４２が、パネル側係合部２３の傾斜面２３ａに当たるため、仮止め部３５から外れたパネル側アーム部４２が仮止め部３５に再び係合することを効果的に抑制できる。
【符号の説明】
【００３８】
１０  オーバーヘッドコンソール装置
２０  パネル
２１  凹部形成壁
２１ａ  側壁
２１ｂ  上壁
２２  軸受
２３  パネル側係合部
２３ａ  傾斜面
２４  凹部
２５  ストッパ受け面
３０  蓋体
３０ａ  閉位置
３０ｂ  開位置
３１  意匠パネル部
３２  立ち上がり部
３３  回動軸部
３４  蓋体側係合部
３５  仮止め部
３５ａ  台部
３５ｂ  突起部
３６  ストッパ面
４０  トーションスプリング
４１  コイル部
４２  パネル側アーム部
４３  蓋体側アーム部
Ｐ  軸芯
Ｓ  スペース
【図１】
0005936591.tif 000002
【図２】
0005936591.tif 000003
【図３】
0005936591.tif 000004
【図４】
0005936591.tif 000005
【図５】
0005936591.tif 000006
【図６】
0005936591.tif 000007
【図７】
0005936591.tif 000008
【図８】
0005936591.tif 000009
【図９】
0005936591.tif 000010